(57)【要約】【課題】  多数の室内空間を浄化及び換気することが可能な空気清浄機を提供する。【解決手段】  室内空間から室内空気を吸入し、浄化された室内空気及び室外から吸入された室外空気のいずれか一つを吐き出す室内機と、室外から吸入された室外空気及び前記室内機側から伝達された室内空気のいずれか一つを前記室内機に伝達する室外機とを備える。【選択図】      図１
2005043032.tif 000002
【特許請求の範囲】
【請求項１】
室内空間から室内空気を吸入し、浄化された室内空気及び室外から吸入された室外空気のいずれか一つを吐き出す室内機と、
室外から吸入された室外空気及び前記室内機側から伝達された室内空気のいずれか一つを前記室内機に伝達する室外機とを備えることを特徴とする空気清浄機。
【請求項２】
前記室内機は多数の室内空間を浄化及び換気し得るように多数備えられ、前記室外機は前記多数の室内機にそれぞれ連結されることを特徴とする請求項１記載の空気清浄機。
【請求項３】
前記室内機は、室内空気を吸入するための吸入口と、前記室外機から伝達された空気を吐き出す吐出口が設けられていることを特徴とする請求項１記載の空気清浄機。
【請求項４】
前記室内機の前記吸入口の内側には、前記吸入口を介して吸入された吸入空気から汚染物質を除去するフィルタ装置が備えられていることを特徴とする請求項３記載の空気清浄機。
【請求項５】
前記室外機には、前記吸入口からの室内空気を前記室外機へ流動させる第１送風ファンと、前記室内機から伝達された室内空気及び室外から吸入された室外空気のいずれか一つを前記吐出口に吐き出す第２送風ファンとが備えられていることを特徴とする請求項３記載の空気清浄機。
【請求項６】
前記室外機と前記室内機との間には互いに空気が連通できるように送風ダクトが設けられるが、
前記送風ダクトは、前記第１送風ファンの吸入側と前記吸入口との間を連結し、前記吸入口から吸入された室内空気を前記第１送風ファンの吸入側へ案内する吸入ダクトと、前記第２送風ファンの吐出側と前記吐出口との間を連結し、前記第１送風ファンによって前記室内機側から伝達された室内空気及び室外から吸入された室外空気のいずれか一つを前記室内機へ案内する吐出ダクトとを備えることを特徴とする請求項５記載の空気清浄機。
【請求項７】
前記室外機には、室外空気を吸入するための吸気口と、前記室内機から伝達された室内空気を室外に排出するための排気口とが含まれた換気孔が設けられ、
前記第１送風ファンの吐出側と前記排気口との間には、前記第１送風ファンから吐き出された室内空気を前記排気口へ案内する排気流路が設けられ、
前記第２送風ファンの吸入側と前記吸気口との間には、前記吸気口から吸入された室外空気を前記第２送風ファンの吸入側へ案内する吸気流路が設けられていることを特徴とする請求項６記載の空気清浄機。
【請求項８】
前記排気流路と前記吸気流路はその中途が互いに交差するようになっており、
前記排気流路と前記吸気流路との交差点には、前記排気流路を通して流動する室内空気と、前記吸気流路を通して流動する室外空気とが互いに混合されることなく熱交換する伝熱交換装置が備えられていることを特徴とする請求項７記載の空気清浄機。
【請求項９】
前記吸気流路上には、前記吸気口を介して室外から吸入された室外空気中の汚染物質を前記伝熱交換装置への流入前に分離させる補助フィルタ装置が備えられていることを特徴とする請求項８記載の空気清浄機。
【請求項１０】
前記吸気流路と前記排気流路との間には前記吸気流路と前記排気流路とを連通させる連通孔が設けられるが、
前記連通孔には前記連通孔を開閉する連通孔開閉部材が設けられ、  
前記換気孔には前記換気孔を開閉する換気孔開閉部材が備えられ、前記連通孔及び前記換気孔のいずれか一つを開放させることにより、空気清浄運転と換気運転を切り替えることができることを特徴とする請求項７記載の空気清浄機。
【請求項１１】
多数の室内空間からそれぞれ室内空気を吸入し、浄化された室内空気及び室外から吸入された室外空気のいずれか一つを吐き出す多数の室内機と、
前記多数の室内機に連結され、室外から吸入された室外空気及び多数の室内機側から伝達された室内空気のいずれか一つを前記多数の室内機の少なくとも一つに伝達する室外機とを備えたことを特徴とする空気清浄機。
【請求項１２】
前記室内機と前記室外機との間には、前記室内機から吸入された室内空気を前記室外機へ案内する吸入ダクトと、前記室外機から吸入された室外空気と前記多数の室内機から伝達された室内空気とを前記多数の室内機へ伝達する吐出ダクトとを含む送風ダクトが設けられるが、
前記送風ダクトは、前記多数の室内機と前記室外機とを連結し得るように前記室内機に相応して多数備えられ、
前記各送風ダクトには、その内部に含まれている前記吸入ダクト及び前記吐出ダクトを同時に開閉するダクト開閉部材がそれぞれ備えられていることを特徴とする請求項１１記載の空気清浄機。
【請求項１３】
前記多数の送風ダクトはいずれか一つの送風ダクトから分岐されて形成されることを特徴とする請求項１２記載の空気清浄機。
【発明の詳細な説明】
【技術分野】
【０００１】
本発明は、空気清浄機に関し、さらに詳しくは、多数の室内空間の室内空気を浄化及び換気することが可能な空気清浄機に関するものである。
【背景技術】
【０００２】
一般に、空気清浄機は、空気中の粉塵や細菌などを濾して空気を浄化する装置であって、通常、外観を成す本体内に、室内気を吸入して強制送風させる送風ファンと、粉塵など空気中の汚染物質を濾すフィルタとを備え、送風ファンから発生した送風力によって室内空気がフィルタを貫いて流れるようにすることにより、フィルタによって室内空気を浄化できるようにする装置である。
【０００３】
このような空気清浄機の一例としては、室内空気を室外に排出し室外空気を室内に吸入することにより、室内空間を換気させる空気清浄機がある。
【０００４】
このように換気運転を行えるようになっている従来の空気清浄機は、室内空気の排出及び室外空気の吸入を同時に行わなければならないので、室内空気の排出のための送風ファンと室外空気の吸入のための送風ファンが備えられ、２つの送風ファンを駆動するために駆動モータが備えられ、駆動モータの両側に２つの送風ファンがそれぞれ設置されるようにすることにより、駆動モータによって２つの送風ファンが回転して送風力を発生させ得るようになっている。
【０００５】
従って、このような駆動モータが動作して２つの送風ファンを回転させると、一側の送風ファンは室内空気を室外に排出させ、他側の送風ファンは室外空気を室内に吸入させることにより、室内空間を換気することができる。
【０００６】
ところが、このような従来の空気清浄機は、一つの室内空間のみを浄化及び換気することができるから、多数の室内空間を換気するためには各室内空間の数に相当する空気清浄機をそれぞれ設置しなければならないので、多くの費用がかかるという問題点がある。
【発明の開示】
【発明が解決しようとする課題】
【０００７】
本発明は、かかる問題点を解決するためのもので、その目的は、多数の室内空間を浄化及び換気することが可能な空気清浄機を提供することにある。
【課題を解決するための手段】
【０００８】
上記目的を達成するための本発明に係る空気清浄機は、室内空間から室内空気を吸入し、浄化された室内空気及び室外から吸入された室外空気のいずれか一つを吐き出す室内機と、室外から吸入された室外空気及び前記室内機側から伝達された室内空気のいずれか一つを前記室内機に伝達する室外機とを備えることを特徴とする。
【０００９】
また、前記室内機は多数の室内空間を浄化及び換気し得るように多数備えられ、前記室外機は前記多数の室内機にそれぞれ連結されることを特徴とする。
【００１０】
また、前記室内機は室内空気を吸入するための吸入口と、前記室外機から伝達された空気を吐き出す吐出口が設けられていることを特徴とする。
【００１１】
また、前記室内機の前記吸入口の内側には、前記吸入口を介して吸入された吸入空気から汚染物質を除去するフィルタ装置が備えられていることを特徴とする。
【００１２】
また、前記室外機には、前記吸入口から吸入された室内空気を前記室外機へ流動させる第１送風ファンと、前記室内機から伝達された室内空気及び室外から吸入された室外空気のいずれか一つを前記吐出口に吐き出す第２送風ファンとが備えられていることを特徴とする。
【００１３】
また、前記室外機と前記室内機との間には互いに空気が連通できるように送風ダクトが設けられるが、前記送風ダクトは、前記第１送風ファンの吸入側と前記吸入口との間を連結し、前記吸入口から吸入された室内空気を前記第１送風ファンの吸入側へ案内する吸入ダクトと、前記第２送風ファンの吐出側と前記吐出口との間を連結し、前記第１送風ファンによって前記室内機側から伝達された室内空気及び室外から吸入された室外空気のいずれか一つを前記室内機へ案内する吐出ダクトとを備えることを特徴とする。
【００１４】
また、前記室外機には、室外空気を吸入するための吸気口と、前記室内機から伝達された室内空気を室外に排出するための排気口とが含まれた換気孔が設けられ、前記第１送風ファンの吐出側と前記排気口との間には、前記第１送風ファンから吐き出された室内空気を前記排気口へ案内する排気流路が設けられ、前記第２送風ファンの吸入側と前記吸気口との間には、前記吸気口から吸入された室外空気を前記第２送風ファンの吸入側へ案内する吸気流路が設けられていることを特徴とする。
【００１５】
また、前記排気流路と前記吸気流路とはその中途が互いに交差するようになっており、前記排気流路と前記吸気流路との交差点には、前記排気流路に沿って流動する室内空気と、前記吸気流路に沿って流動する室外空気とが混合されることなく熱交換する伝熱交換装置が備えられていることを特徴とする。
【００１６】
また、前記吸気流路上には、前記吸気口を介して室外から吸入された室外空気中の汚染物質を前記伝熱交換装置への流入前に分離させる補助フィルタ装置が備えられていることを特徴とする。
【００１７】
また、前記吸気流路と前記排気流路との間には前記吸気流路と前記排気流路とを連通させる連通孔が設けられるが、前記連通孔には前記連通孔を開閉する連通孔開閉部材が、前記換気孔には前記換気孔を開閉する換気孔開閉部材がそれぞれ備えられ、前記連通孔及び前記換気孔のいずれか一つを開放させることにより、空気清浄運転と換気運転を切り替えることができることを特徴とする。
【００１８】
また、本発明に係る空気清浄機は、多数の室内空間からそれぞれ室内空気を吸入し、浄化された室内空気及び室外から吸入された室外空気のいずれか一つを吐き出す多数の室内機と、前記多数の室内機に連結され、室外から吸入された室外空気及び多数の室内機側から伝達された室内空気のいずれか一つを前記多数の室内機の少なくとも一つに伝達する室外機とを備えたことを特徴とする。
【００１９】
また、前記室内機と前記室外機との間には、前記室内機から吸入された室内空気を前記室外機へ案内する吸入ダクトと、前記室外機から吸入された室外空気と前記多数の室内機から伝達された室内空気とを前記多数の室内機に伝達する吐出ダクトとを含む送風ダクトが設けられるが、前記送風ダクトは、前記多数の室内機と前記室外機とを連結し得るように前記室内機に相応して多数備えられ、前記各送風ダクトには、その内部に含まれている前記吸入ダクト及び前記吐出ダクトを同時に開閉するダクト開閉部材がそれぞれ備えられていることを特徴とする。
【発明の効果】
【００２０】
本発明に係る空気清浄機は、一つの室外機に多数の室内機を多数の送風ダクトでそれぞれ連結することにより、一つの空気清浄機の室外機を用いて多数の室内空間を浄化及び換気することができるという作用効果がある。
【発明を実施するための最良の形態】
【００２１】
以下、本発明の好適な一実施例を添付図に基づいて詳細に説明する。
【００２２】
本発明に係る空気清浄機は、内部に空気から粉塵などの汚染物質を分離するフィルタ装置を備えたもので、室内空気を吸入して室内空気から粉塵などの汚染物質を分離した後、さらに室内空間へ排出する空気清浄運転と、室内空気を室外へ排出し室外空気を室内に吸入することにより室内空気を換気する換気運転とを行えるようになっている。
【００２３】
このような空気清浄機は、図１及び図２に示すように、室内に設置される多数の室内機１０と、室外に設置され、多数の室内機１０に連結されて空気清浄運転又は換気運転に応じて多数の室内機へ浄化された空気又は室外空気を供給する室外機２０とを備え、多数の室内機１０と室外機２０との間にはそれぞれ送風ダクト３０が設けられ、室内空気又は室外空気が室内機１０と室外機２０のいずれか一方から他方へ流動できるようになっている。従って、多数の室内空間を一つの室外機２０で浄化及び換気することができる。
【００２４】
室内機１０は、室内空気を吸入するための吸入口１１と、室外機２０側からの浄化された室内空気又は室外からの室外空気を吐き出すための吐出口１２が設けられており、吸入口１１の内側にはフィルタ装置４０が内蔵されている。フィルタ装置４０は、その内部を通過する空気から粉塵などの汚染物質を分離するもので、平行に配列された多数の接地電極板と放電線を備え、電離現象を用いて粉塵などの汚染物質を集塵する電気集塵式静電フィルタ４１と、ポリプロピレン樹脂又はポリエチレン樹脂などで微細な不織布状に形成され、微細粉塵粒子を集塵する微細集塵フィルタ４２などが含まれる。
【００２５】
一方、室外機２０は、その内部で送風力を発生させて送風ダクトを通して空気を流動させるもので、このため、内部には送風装置５０が備えられている。送風装置５０は、電源の印加を受けて回転力を発生させる駆動モータ５１と、駆動モータ５１の一側に設置され、駆動モータ５１から回転力を受けて回転しながら吸入力及び送風力を発生させ、室内空気が室内機１０の吸入口から吸入された後送風ダクト３０を通して室外機２０へ流動させる第１送風ファン５２と、駆動モータ５１の他側に設置され、駆動モータ５１から回転力を受けて回転しながら吸入力及び送風力を発生させ、浄化された空気又は室外空気が室内機１０へ流動させる第２送風ファン５３とを備える。
【００２６】
この際、送風ダクト３０は、室内機１０の吸入口１１から吸入された室内空気が室外機２０側へ流動させる吸入ダクト３１と、空気清浄運転又は換気運転によって室外から吸入された室外空気及び室内機１０から伝達された室内空気のいずれか一つを室内機１０側へ案内する吐出ダクト３２とを含む。吸入ダクト３１は第１送風ファン５２の吸入側に連結され、第１送風ファン５２から発生した吸入力によって室内空気を室内機１０から室外機２０へ案内し、吐出ダクト３２は第２送風ファン５３の吐出側に連結され、第２送風ファン５３から発生した送風力によって、浄化された室内空気又は室外空気を室外機２０から室内機１０へ案内する。本実施例において、このような送風ダクト３０は一つの送風ダクト３０から分岐され、多数の室内機１０と連結されるようになっている。
【００２７】
また、このような送風ダクト３０の中途にはダクト開閉部材３３が備えられるが、これらのダクト開閉部材３３は多数の室内機１０の少なくとも一つが選択的に動作できるようにするためのもので、吸入ダクト３１及び吐出ダクト３２内に回動可能に設置され、回動して吸入ダクト３１及び吐出ダクト３２を共に開閉できるようになっている。
【００２８】
一方、室外機２０の一側には、換気運転の際、室内空気は排出し室外空気は吸入することができるように換気孔２１が設けられるが、換気孔２１は室内空気の排出される排気口２１ａと室外空気の吸入される吸気口２１ｂとに画成されているもので、排気口２１ａは第１送風ファン５２の吐出側に排気流路２２を介して連結され、吸気口２１ｂは第２送風ファン５３の吸入側に吸気流路２３を介して連結されている。
【００２９】
また、このような排気流路２２と吸気流路２３との間には、排気流路２２と吸気流路２３とを連通させる連通孔２４が設けられるが、このような連通孔２４は、空気清浄機が空気清浄運転を行う際、第１送風ファン５２から吐き出された室内空気がこれを介して第２送風ファン５３の吸入側へ流動できるようにするためのものである。このような連通孔２４には、空気清浄運転又は換気運転に応じて連通孔２４を開閉する連通孔開閉部材２５が回動可能に設けられ、回転して連通孔２４を開閉できるようになっている。一方、換気孔２１には、画成されている排気口２１ａと吸気口２１ｂを共に開閉する換気孔開閉部材２６が回動可能に設けられ、空気清浄機が換気運転を行う場合にのみ換気孔２１を介して室内空気の排出及び室外空気の吸入が行われるようになっている。
【００３０】
従って、本発明に係る空気清浄機は、連通孔開閉部材２５又は換気孔開閉部材２６を動作させて連通孔２４及び換気孔２１のいずれか一つを開放させることにより、空気清浄運転と換気運転とを切り替えることができる。すなわち、空気清浄運転の際には、連通孔２４は開放し換気孔２１は閉鎖することにより、第１送風ファン５２からの浄化された室内空気が連通孔２４を介して第２送風ファン５３に吸入されて室内空間に吐き出されるようにし、換気運転の際には、連通孔２４は閉鎖し換気孔２１は開放することにより、室内空気が排気口２１ａから室外に排出され室外空気が吸気口２１ｂから吸入されるようにする。
【００３１】
また、本実施例において、吸気流路２３と排気流路２２とは互いに交差するようになっており、吸気流路２３と排気流路２２との交差点には伝熱交換装置６０が設けられる。伝熱交換装置６０は、排出される室内空気と吸入される室外空気とが互いに混合されることなく熱交換が行われるようにするもので、室内温度と室内に吐き出される室外空気の温度との差を減らすためのものである。
【００３２】
また、伝熱交換装置６０と吸気口２１ｂ間の吸気流路２３上には補助フィルタ装置４０ａが備えられるが、この補助フィルタ装置４０ａは室外より吸入された室外空気から内部の粉塵などの汚染物質を分離した後、室内に供給させるためのものである。
【００３３】
以下、このように構成された本発明に係る空気清浄機の動作及び作用効果を説明する。
【００３４】
まず、本発明に係る空気清浄機が空気清浄運転を行うようにすると、図１に示すように、連通孔開閉部材２５は回動して連通孔２４を開放し、換気孔開閉部材２６は回動して換気孔２１を閉鎖する。
【００３５】
このような状態で、駆動モータ５１に電源が印加されて第１送風ファン５２及び第２送風ファン５３が回転して吸入力及び送風力を発生させると、第１送風ファン５２から発生した吸入力により、室内空気は吸入口１１を通して室内機１０内に流入する。この際、吸入口１１の内側にはフィルタ装置４０が備えられているので、吸入された室内空気内に含まれていた粉塵などの汚染物質は分離されて浄化される。このように浄化された室内空気は、引き続き吸入ダクト３１を通して室外機２０に移動した後、排気流路２２と吸気流路２３との間に設けられた連通孔２４を介して吸気流路２３に流入し、第２送風ファン５３から発生する吸入力及び送風力によって吐出ダクト３２を通して室内機の吐出口１２から室内に吐き出されることにより浄化される。
【００３６】
次に、本発明に係る空気清浄機が換気運転を行うようにすると、図２に示すように、連通孔開閉部材２５は回動して連通孔２４を閉鎖し、換気孔開閉部材２６は回動して換気孔２１を開放する。
【００３７】
このような状態で駆動モータ５１に電源が印加され、第１送風ファン５２及び第２送風ファン５３が回転して吸入力及び送風力を発生させると、第１送風ファン５２から発生した吸入力により、室内空気は吸入口１１を通して室内機１０に流入し、続いて、室内空気は吸入ダクト３１を通して室外機２０に流動した後、排気流路２２と排気口２１ａを通して室外に排出される。また、これと同時に、第２送風ファン５３から発生した吸入力により、吸気口２１ｂと吸気流路２３を通して室外空気は室外機２０内に流入する。この際、吸気流路２３上には補助フィルタ装置４０ａが備えられているので、吸入された室外空気内に含まれていた粉塵などの汚染物質は分離されて浄化される。引き続き、室外空気は吸気流路２３と吐出ダクト３２を通して室内機１０の吐出口１２から室内に吐き出される。従って、室内空気は室外に排出され室外空気は室内に吸入されることにより、室内の換気がなされる。
【００３８】
また、このように室内が換気される過程で、室外に排出される室内空気と室内に吸入される室外空気とは、伝熱交換装置６０で互いに熱交換するので、室内温度と室内に吐き出された室外空気の温度との差は減少する。
【００３９】
また、多数の室内空間のうち一部のみを浄化及び換気する必要がある場合、図３に示すように、ダクト開閉部材３３を動作させ、室内空間の室内機１０に連結された送風ダクト３０のみを開放することにより、所望の室内空間のみが選択的に浄化又は換気される。
【図面の簡単な説明】
【００４０】
【図１】本発明に係る空気清浄機の空気清浄運転状態を示す断面図である。
【図２】図１に示した空気清浄機の換気運転状態を示す断面図である。
【図３】図１の空気清浄機において多数の室内機のいずれか一つのみが動作する場合を示す断面図である。
【符号の説明】
【００４１】
１０    室内機
１１    吸入口
２０    室外機
２１    換気孔
２１ａ  排気口
２１ｂ  吸気口
２２    排気流路
２３    吸気流路
２４    連通孔
２５    連通孔開閉部材
２６    換気孔開閉部材
３０    送風ダクト
３１    吸入ダクト
３２    吐出ダクト
３３    ダクト開閉部材
４０    フィルタ装置
４０ａ  補助フィルタ装置
４１    電気集塵式静電フィルタ
４２    微細集塵フィルタ
５０    送風装置
５１    駆動モータ
５２    第１送風ファン
５３    第２送風ファン
６０    伝熱交換装置
【図１】
2005043032.tif 000003
【図２】
2005043032.tif 000004
【図３】
2005043032.tif 000005